(57)【要約】【課題】低コストの構成にしつつ、高い精度で撮像素子、ベース、及びレンズユニットの位置決めを行うことができる撮像装置を提供する。【解決手段】撮像装置において、筐体となるベースと、撮像素子を搭載する基板と、レンズを保持するレンズ鏡筒を有するレンズユニットと、を備え、前記レンズユニットは、光軸方向後方に軸状の凸部を複数有しており、前記基板は、複数の前記凸部がそれぞれ挿入される貫通孔を複数有しており、前記ベースは、複数の前記凸部のうちの少なくとも１つが挿入される孔部を有する構成とする。【選択図】図２
2020122920.tif 000002
【特許請求の範囲】
【請求項１】
筐体となるベースと、
撮像素子を搭載する基板と、
レンズを保持するレンズ鏡筒を有するレンズユニットと、を備え、
前記レンズユニットは、光軸方向後方に軸状の凸部を複数有しており、
前記基板は、複数の前記凸部がそれぞれ挿入される貫通孔を複数有しており、
前記ベースは、複数の前記凸部のうちの少なくとも１つが挿入される孔部を有している、
撮像装置。
【請求項２】
前記基板は、赤外線を発光する赤外線発光部材をさらに搭載し、
前記レンズユニットは、前記赤外線発光部材が発する光を反射するリフレクタをさらに有する、
請求項１に記載の撮像装置。
【請求項３】
前記リフレクタは、前記レンズまたはレンズ鏡筒の少なくも一方を囲う開口部を有する、
請求項２に記載の撮像装置。
【請求項４】
前記リフレクタは樹脂で形成されている、
請求項２または３に記載の撮像装置。
【請求項５】
前記ベースは、金属で形成され、かつ前記赤外線発光部材に接している、
請求項２から請求項４のいずれか１項に記載の撮像装置。
【請求項６】
前記凸部は、第１凸部、第２凸部、第３凸部、及び第４凸部を含み、
前記第１凸部及び前記第２凸部は前記リフレクタに形成され、
前記第３凸部及び前記第４凸部は前記レンズ鏡筒に形成された、
請求項２から請求項５のいずれか１項に記載の撮像装置。
【請求項７】
前記凸部は、第１凸部及び第２凸部を含み、
前記第１凸部及び前記第２凸部は前記リフレクタに形成され、
前記レンズ鏡筒は前記リフレクタに支持される、
請求項２から請求項５のいずれか１項に記載の撮像装置。
【請求項８】
前記第１凸部及び前記第２凸部は、前記孔部に挿入される、
請求項６または請求項７に記載の撮像装置。
【請求項９】
前記レンズ鏡筒と前記リフレクタとがねじ嵌合している、
請求項２から請求項８のいずれか１項に記載の撮像装置。
【発明の詳細な説明】
【技術分野】
【０００１】
本発明の一態様は、撮像装置等に関する。
【背景技術】
【０００２】
従来から、被写体に対して赤外線を照射する発光部と、被写体から反射した赤外光を集光するレンズと、集光された光を撮像する撮像素子を備えた赤外線カメラがある。このような赤外線カメラでは、筐体となるベースに対して、撮像素子及びレンズの位置決めを行うことで光軸を合わせる必要がある。例えば、特許文献１には、ベースに位置決め突起を形成し、基板の貫通孔に嵌合させることで位置決めを行う構成が開示されている。
【先行技術文献】
【特許文献】
【０００３】
【特許文献１】国際公開第２０１６／０１７６８２号
【発明の概要】
【発明が解決しようとする課題】
【０００４】
しかし、上記従来の構成では、高い剛性が要求されることから金属で形成されるベースに位置決め突起を形成する構成とすることから、加工が容易ではなかった。そのため、精度の高い位置決めが可能な構成にしようとすると、加工が困難となる場合があった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
筐体となるベース（２）と、
撮像素子（３１）を搭載する基板（３）と、
レンズを保持するレンズ鏡筒（４、１０４）を有するレンズユニットと、を備え、
前記レンズユニットは、光軸方向後方に軸状の凸部（５ａ、５ｂ、４ａ、４ｂ）を複数有しており、
前記基板は、複数の前記凸部がそれぞれ挿入される貫通孔（３ａ、３ｂ、３ｅ、３ｆ）を複数有しており、
前記ベースは、複数の前記凸部のうちの少なくとも１つ（５ａ、５ｂ）が挿入される孔部（２１ａ、２２ａ）を有している、
撮像装置である。
【０００７】
本発明のような撮像装置では、筐体となるベースは高い剛性が求められるものの、レンズユニットにはベースほどの高い剛性が求められないため、レンズユニットはベースと比較して加工容易に形成されている。上記構成の撮像装置では、ベースに位置決め突起を設ける代わりに、ベースよりも加工容易なレンズユニットに位置決め用の凸部を設けた構成としている。そのため、従来構成と比較して、位置決め用の凸部を比較的容易に形成可能な構成とすることができる。これにより、低コストの構成にしつつ、基板に搭載された撮像素子、ベース、及びレンズユニットの位置決めを高い精度で行うことができる構成とすることができる。
【０００８】
上記撮像装置において、好ましくは、
前記基板は、赤外線を発光する赤外線発光部材（３２、３３）をさらに搭載し、
前記レンズユニットは、前記赤外線発光部材が発する光を反射するリフレクタ（５、１０５）をさらに有する。
【０００９】
上記構成の撮像装置では、赤外線撮像装置において、低コストの構成にしつつ、基板に搭載された撮像素子、ベース、及びレンズユニットの位置決めを高い精度で行うことができる構成とすることなどが可能となる。
【００１０】
上記撮像装置において、好ましくは、
前記リフレクタは、前記レンズまたはレンズ鏡筒の少なくも一方を囲う開口部を有する。
【００１１】
上記構成の撮像装置では、赤外線発光部材からの光がレンズ鏡筒に入り込み、ゴーストまたはフレアなどが発生してしまうことを抑制することができる。
【００１２】
上記撮像装置において、好ましくは、
前記リフレクタ（５、１０５）は樹脂で形成されている。
【００１３】
上記構成の撮像装置では、リフレクタが加工容易な樹脂で形成されているため、簡易かつ高い加工精度で位置決め用の凸部を形成することが可能となる。
【００１４】
上記撮像装置において、好ましくは、
前記ベース（２）は、金属で形成され、かつ前記赤外線発光部材に接している。
【００１５】
上記構成の撮像装置では、熱を発する赤外線発光部材が、金属で形成されたベースに接しているため、赤外線発光部材で発生した熱を分散させ部分的に高熱が発生してしまうことを抑制する構成とすることができる。
【００１６】
上記撮像装置において、好ましくは、
前記凸部は、第１凸部、第２凸部、第３凸部、及び第４凸部を含み、
前記第１凸部（５ａ）及び前記第２凸部（５ｂ）は前記リフレクタ（５）に形成され、
前記第３凸部（４ａ）及び前記第４凸部（４ｂ）は前記レンズ鏡筒（４）に形成されている。
【００１７】
上記構成の撮像装置では、基板及びベースに対してリフレクタ及びレンズ鏡筒の位置をそれぞれ適切に調整することが可能な構成にすることができる。
【００１８】
上記撮像装置において、好ましくは、
前記凸部は、第１凸部及び第２凸部を含み、
前記第１凸部（５ａ）及び前記第２凸部（５ｂ）は前記リフレクタ（１０５）に形成され、
前記レンズ鏡筒（１０４）は前記リフレクタに支持される。
【００１９】
上記構成の撮像装置では、基板及びベースに対してリフレクタの位置を適切に調整し、さらにリフレクタに支持されたレンズ鏡筒の位置を適切に調整可能な構成にすることができる。
【００２０】
上記撮像装置において、好ましくは、
前記第１凸部（５ａ）及び前記第２凸部（５ｂ）は、前記孔部（２１ａ、２２ａ）に挿入される。
【００２１】
上記構成の撮像装置では、基板、ベース、リフレクタ、及びレンズ鏡筒の位置を適切に調整可能な構成とすることができる。
【００２２】
上記撮像装置において、好ましくは、
前記レンズ鏡筒（４、１０４）と前記リフレクタ（５、１０５）とがねじ嵌合している。
【００２３】
上記構成の撮像装置では、レンズ鏡筒とリフレクタとを、ねじなどの他の部材を用いることなく連結させつつ、焦点の調整等を行うことが可能な構成にすることができる。
【図面の簡単な説明】
【００２４】
【図１】図１は、撮像装置の外観斜視図である。
【図２】図２は、実施形態１の撮像装置の分解斜視図である。
【図３】図３は、実施形態１の撮像装置の断面図である。
【図４】図４は、実施形態２の撮像装置の分解斜視図である。
【図５】図５は、実施形態２の撮像装置の断面図である。
【発明を実施するための形態】
【００２５】
本発明の撮像装置は、基板に貫通孔が、ベースに孔部が形成され、これらの貫通孔及び孔部に、レンズユニットに形成された凸部が挿入されることで、基板、ベース、及びレンズユニットの位置調整が行われる構成としている点を特徴のひとつとする。
【００２６】
本明細書では、レンズの中心位置であって、撮像素子に入射する光の中心位置を「光軸」と称する。レンズに対して撮像素子とは反対側に位置する撮像対象を「被写体」と称する。レンズに対して被写体が位置する方向を、「光軸方向前方」または「フロント側」と称することがある。レンズに対して撮像素子が位置する方向を、「光軸方向後方」または「リア側」と称することがある。また、各図面には、互いに直交するＸ軸、Ｙ軸、及びＺ軸を示している。Ｚ軸は、光軸の延びる方向と平行な方向に延びる。
【００２７】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．本発明の特徴
４．補足事項
【００２８】
＜１．実施形態１＞
【００２９】
本発明の実施形態１について、図１〜図３を参照しながら説明する。図１は本実施形態の撮像装置を光軸方向前方側から見た外観斜視図である。図２は、本実施形態の撮像装置の光軸方向前方側から見た分解斜視図である。図３は、本実施形態の撮像装置の断面図である。
【００３０】
図１〜図３に示されるように、本実施形態の撮像装置は、ケース１、ベース２、基板３、レンズ鏡筒４、及びリフレクタ５を含んで構成される。ケース１及びベース２は、連結されることで筐体を構成する。なお、本実施形態のリフレクタ５及びレンズ鏡筒４の組み合わせが、本発明の「レンズユニット」に対応する。
【００３１】
＜ケース１＞
ケース１は、Ｙ軸−側の面が開放され、Ｚ軸−側の面に略矩形状の開口部１ｄが形成された箱状の部材であって、ベース２とともに、基板３、レンズ鏡筒４、及びリフレクタ５を収容する内部空間を形成する。ケース１は、ねじ７１〜７４によってベース２と連結され、ベース２とともに筐体を構成する。ケース１のＹ軸−側の四隅には、ねじ７１〜７４が挿入される溝状のねじ孔が形成される。ケース１の開口部１ｄには、３つの円状の開口部１ａ、１ｂ、及び１ｃが形成される。組み立てられた状態において、開口部１ｂの先（撮像素子側）にはレンズ鏡筒４に保持されたレンズ群４１及び撮像素子が位置し、開口部１ａ及び１ｃの先（撮像素子側）には基板に支持された赤外線発光部材３２及び３３がそれぞれ位置する。組み立てられた状態において、略矩形状の開口部１ｄには、ガラスまたは樹脂で形成されたカバーが配置される。
【００３２】
＜ベース２＞
ベース２はアルミニウムなどの金属の材料で形成され、上記のように、ケース１とともに筐体を構成する。ベース２は、ケース１のＹ軸−側の開放された面を塞ぐよう、ねじ７１〜７４によってケース１と連結される。ベース２は、Ｙ軸−側の面である底面部分からＹ軸＋側に向かって板状に延伸した基板当接面２１及び２２を有する。
【００３３】
基板当接面２１及び２２には、Ｚ軸＋側からＺ軸−側に向かって形成された孔部２１ａ及び２２ａがそれぞれ形成される。孔部２１ａ及び２２ａには、後述のリフレクタ５に形成された凸部５ａ及び５ｂがそれぞれ挿入される。
【００３４】
なお、本実施形態の孔部２１ａ及び２２ａは貫通孔であるが（図３参照）、孔部２１ａ及び２２ａは貫通孔でない溝状の孔であってもよい。
【００３５】
基板当接面２１及び２２には、孔部２１ａ及び２２ａよりもＹ軸−側の位置に、ねじ６１及び６２が挿通される、貫通孔であるねじ孔２１ｂ及び２２ｂがそれぞれ形成される。ねじ孔２１ｂ及び２２ｂには、ねじ６１及び６２がそれぞれ挿入される。これらのねじ６１及び６２によって、ベース２と、基板３及びリフレクタ５とが連結される。
【００３６】
ベース２の底面部分の四隅近傍には、ベース２とケース１とを連結させるためのねじ７１〜７４が挿通される貫通孔であるねじ孔が形成される。
【００３７】
ベース２の底面部分の基板当接面２１及び２２の間の位置には、Ｘ軸方向に延び、Ｙ軸方向に貫通するフレキシブル基板貫通孔２ａが形成される。フレキシブル基板貫通孔２ａには、基板３に連結されたフレキシブル基板３４が挿通される。
【００３８】
＜基板３＞
基板３は、板状の部材であって、撮像素子３１、並びに赤外線発光部材３２及び３３を含む電子部品が搭載される。
【００３９】
撮像素子３１は、中心位置が光軸となるよう、基板３に搭載されている。撮像素子３１は、照射された光を電気信号に変換する光電変換素子であり、例えばＣ−ＭＯＳセンサやＣＣＤなどであるが、これらに限定されるものではない。なお、撮像装置においては、撮像素子３１以外の撮像機能を要する撮像部を採用してもよい。
【００４０】
赤外線発光部材３２及び３３は、それぞれ撮像素子３１に対してＸ軸−側及びＸ軸＋側に配置される。撮像素子３１と赤外線発光部材３２及び３３とは、Ｘ軸方向に整列するよう配置される。赤外線発光部材３２及び３３は、電力を与えられることで赤外線の波長の光を発する。本実施形態の撮像装置では、この赤外線発光部材３２及び３３から発せられた光が被写体に照射され、被写体から反射してきた赤外線（赤外光）を撮像素子３１が受光することで撮像が行われる。
【００４１】
赤外線発光部材３２及び３３のＺ軸＋側は、基板３を介してベース２に当接している。赤外線発光部材３２及び３３は、発光時に熱を発するが、金属で形成されたベース２に接するよう配置されることで熱が分散される。つまり、ベース２は放熱部材として作用する。
【００４２】
また、他の実施例では、赤外線発行部材３２の端子などの一部の部位が基板３の裏側に配置されるようにし、その部位をベース２と当接させるようにしてもよい。このようにすることで、放熱効果をより高めることが出来る。なお、本実施例における「当接」には、直接当接している状態に加えて、基板３などの部材を介して当接する状態も含まれる。
【００４３】
基板３には、Ｙ軸−側に延びるフレキシブル基板３４が連結される。フレキシブル基板３４のＹ軸＋側の端部は基板３に連結される。フレキシブル基板３４のＹ軸−側に延びる延伸部分はフレキシブル基板貫通孔２ａに挿通される。フレキシブル基板３４のＹ軸−側の端部は外部機器に連結される。
【００４４】
基板３の赤外線発光部材３２の側方のＸ軸−側の位置には、貫通孔３ａが形成される。組み立てられた状態において、貫通孔３ａには、リフレクタ５の凸部５ａが挿入される。基板３の赤外線発光部材３３の側方のＸ軸＋側の位置には、貫通孔３ｂが形成される。組み立てられた状態において、貫通孔３ｂには、リフレクタ５の凸部５ｂが挿入される。
【００４５】
基板３において、貫通孔３ａのＹ軸−側、及び貫通孔３ｂのＹ軸−側には、それぞれ貫通孔であるねじ孔３ｃ及び３ｄが形成される。ねじ孔３ｃ及び３ｄには、それぞれ、ねじ６１及び６２が挿入される。
【００４６】
基板３の撮像素子３１の側方のＸ軸−側の位置には、孔部３ｅが形成される。基板３において、撮像素子３１を中心として孔部３ｅに対象となる位置には、孔部３ｆが形成される。図２に示されるように、孔部３ｅと３ｆとは、光軸を中心とする略点対称の位置に形成されている。孔部３ｅ及び３ｆには、レンズ鏡筒４の凸部４ａ及び４ｂがそれぞれ挿入される。なお、本実施形態では孔部３ｅ及び３ｆは基板３を貫通しない溝状の孔であるが、孔部３ｅ及び３ｆは基板３を貫通する貫通孔であってもよい。
【００４７】
基板３において、孔部３ｅのＹ軸＋側の位置には、ねじ孔３ｇが形成される。また、基板３において、孔部３ｆのＹ軸−側の位置には、ねじ孔３ｈが形成される。ねじ孔３ｇ及び３ｈには、それぞれ、ねじ６３及び６４が挿入される。これらのねじ６３及び６４によって、基板３、レンズ鏡筒４、及びリフレクタ５が連結される。
【００４８】
＜レンズ鏡筒４＞
レンズ鏡筒４は、リフレクタ５と基板３との間に配置され、レンズ群４１（図３参照）を保持する。レンズ鏡筒４はポリカーボネートなどの樹脂の材料で形成される。レンズ鏡筒４のＺ軸−側は円筒状であって、Ｚ軸＋側は矩形状である。レンズ鏡筒４の円筒状部分の径方向外側には、リフレクタ５とねじ嵌合するためのねじ山が形成される。レンズ群４１は、被写体からの光を撮像素子３１に集光して結像するよう作用する。レンズ鏡筒４は、基板３と対向するＺ軸＋側の面に、Ｚ軸＋側に延びる軸状の凸部４ａ及び４ｂを有する。凸部４ａ及び４ｂは、上記のように基板３の孔部３ｅ及び３ｆにそれぞれ挿入される。
【００４９】
レンズ鏡筒４は、四隅近傍において、凸部４ａ及び４ｂが形成されない箇所に、貫通孔であるねじ孔４ｃ及び４ｄが形成される。ねじ孔４ｃ及び４ｄにはねじ６３及び６４がそれぞれ挿通される。
【００５０】
＜リフレクタ５＞
リフレクタ５は、Ｚ軸方向に延びる３つの円筒状の貫通孔である開口部５ｃ、５ｄ、及び５ｅを有する。リフレクタ５の開口部５ｄの径方向内側には、ねじ山が形成される。リフレクタ５の開口部５ｄには、レンズ鏡筒４が挿入され、リフレクタ５とレンズ鏡筒４とがねじ嵌合する。リフレクタ５は、レンズ鏡筒４と同様にポリカーボネートなどの樹脂の材料で形成される。
【００５１】
リフレクタ５の開口部５ｃ及び５ｅの径方向内側には、赤外線を反射する反射板を含む反射部が配置される。組み立てられた状態において、開口部５ｃ及び５ｅのＺ軸＋側には、基板３上の赤外線発光部材３２及び３３がそれぞれ位置する。開口部５ｃの反射部は、赤外線発光部材３２から発せられる光を反射し、開口部５ｅの反射部は、赤外線発光部材３３から発せられる光を反射する。つまり、赤外線発光部材３２及び３３から発せられた光は、これらの反射板により反射させられながら被写体側に照射されることとなる。
【００５２】
リフレクタ５のＺ軸＋側の面には、Ｚ軸＋側に延びる軸状の凸部５ａ及び５ｂが形成される。凸部５ａ及び５ｂは、それぞれ、基板３の貫通孔３ａ及び３ｂに挿通され、さらに、ベース２の孔部２１ａ及び２２ａに挿入される。
【００５３】
リフレクタ５のＺ軸＋側の面（基板３と対向する面）には、ねじ６１及び６２がそれぞれ挿入される溝状のねじ孔が形成される。
【００５４】
＜凸部５ａ、５ｂ、４ａ、及び４ｂによる位置決め＞
上記のとおり、リフレクタ５には、Ｚ軸＋側に延びる凸部５ａ及び５ｂが形成され、レンズ鏡筒４には、Ｚ軸＋側に延びる凸部４ａ及び４ｂが形成される。凸部５ａ及び５ｂは、基板３の貫通孔３ａ及び３ｂに挿通され、さらにベース２の孔部２１ａ及び２２ａに挿入される。これによって、ベース２、基板３、及びリフレクタ５の位置決めを行っている。さらに、レンズ鏡筒４の凸部４ａ及び４ｂが、基板３の孔部３ｅ及び３ｆに挿入される。これによって、基板３とレンズ鏡筒４との位置決めを行っている。これらの２通りの位置決めによって、ベース２、基板３、レンズ鏡筒４、及びリフレクタ５の位置決めが行われる。
【００５５】
＜２．実施形態２＞
次に、本発明の実施形態２について説明する。本実施形態の撮像装置は、実施形態１の撮像装置と比較して、レンズ鏡筒４が基板３に位置決めされる代わりに、リフレクタ１０５にレンズ鏡筒１０４がねじ嵌合され、リフレクタ１０５が基板３に位置決めされることで、間接的にレンズ鏡筒１０４が位置決めされる構成となっている点で相違し、それ以外の構成は実施形態１の構成と共通である。以下の説明では、実施形態１と比較した本実施形態の相違点についてのみ説明し、実施形態１と共通の構成等についてはその説明を省略する。なお、本実施形態のリフレクタ１０５及びレンズ鏡筒１０４の組み合わせが、本発明の「レンズユニット」に対応する。
【００５６】
図４及び図５は、本実施形態の撮像装置を示す図である。図４は、本実施形態の撮像装置の光軸方向前方側から見た分解斜視図である。図５は、本実施形態の撮像装置の断面図である。なお、本実施形態の撮像装置の外観は、実施形態１の図１と同様となる。
【００５７】
＜リフレクタ１０５＞
リフレクタ１０５は、Ｚ軸方向に延びる３つの円筒状の貫通孔である開口部５ｃ、１０５ｄ、及び５ｅを有する。開口部１０５ｄの径方向内側には、レンズ鏡筒１０４とねじ嵌合されるねじ山が形成される。実施形態１と同様、リフレクタ５のＺ軸＋側の面には、Ｚ軸＋側に延びる凸部５ａ及び５ｂが形成される。
【００５８】
＜レンズ鏡筒１０４＞
レンズ鏡筒４は、リフレクタ５のＺ軸−側に配置され、レンズ群４１を保持する。レンズ鏡筒１０４は円筒状であって、Ｚ軸−側からＺ軸＋側に向かって（撮像素子側に向かって）、リフレクタ１０５の開口部１０５ｄに挿入される。レンズ鏡筒１０４の径方向外側には、開口部１０５ｄとねじ嵌合されるねじ山が形成される。
【００５９】
＜フィルタ１０８＞
レンズ鏡筒１０４に保持されるレンズ群４１と撮像素子３１との間には、フィルタ１０８が配置される。フィルタ１０８は、例えば、赤外線以外の波長の光を遮蔽して透過させないよう機能する。
【００６０】
＜凸部５ａ及び５ｂによる位置決め＞
本実施形態のリフレクタ１０５には、Ｚ軸＋側に延びる凸部５ａ及び５ｂが形成される。凸部５ａ及び５ｂは、基板３の貫通孔３ａ及び３ｂに挿通され、さらにベース２の孔部２１ａ及び２２ａに挿入される。これによって、ベース２、基板３、及びリフレクタ５の位置決めを行っている。また、レンズ鏡筒１０４がリフレクタ１０５により支持されているため、レンズ鏡筒１０４に保持されるレンズ群４１も、ベース２、及び基板３に対して位置決めされている。
【００６１】
＜３．本発明の特徴＞
以上、実施形態１及び２を例示して説明した本発明は、以下のような特徴を有する。
【００６２】
上記実施形態の撮像装置では、レンズ鏡筒４（１０４）から構成されるレンズユニットが位置決め用の凸部５ａ、５ｂ、４ａ、及び４ｂを有し、基板３及びベース２に挿入されることで位置決めが行われる構成となっている。このように、ベースと比較して加工容易なレンズユニットに凸部を設けた構成とすることで、従来構成と比較して比較的容易に位置決め用の凸部を形成可能な構成とすることができる。さらには、低コストの構成にしつつ、基板３に搭載された撮像素子３１、ベース２、及びレンズユニットの位置決めを高い精度で行うことができる構成とすることができる。
【００６３】
上記実施形態の撮像装置では、赤外線を発光する赤外線発光部材３２及び３３と、この赤外線発光部材３２及び３３から発せられた光を反射するリフレクタ５（１０５）とを有する構成としている。この構成により、低コストな構成で、高い精度で撮像素子３１、ベース２、及びレンズユニットの位置決めを行うことができる赤外線撮像装置を構成することができる。
【００６４】
上記実施形態の撮像装置では、リフレクタ５（１０５）が、レンズ鏡筒４、またはレンズ群４１のうちで最も被写体側に位置するレンズを囲むよう、開口部１ｂが形成された構成としている。この構成により、赤外線発光部材３２及び３３からレンズ鏡筒４に光が入り込み、ゴーストまたはフレアなどが発生してしまうことを抑制可能な構成となっている。
【００６５】
上記実施形態の撮像装置では、リフレクタ５（１０５）が樹脂で形成された構成としているため、凸部５ａ、５ｂを簡易かつ高い精度で形成することが可能な構成となっている。
【００６６】
上記実施形態の撮像装置では、ベース２が金属で形成され、赤外線発光部材３２及び３３に接した構成としている。この構成により、赤外線発光部材３２及び３３から発生した熱がベース２を介して分散され、部分的に高熱が発生してしまうことを抑制する構成とすることができる。
【００６７】
上記実施形態１の撮像装置では、リフレクタ５が凸部５ａ及び５ｂを有し、レンズ鏡筒４が凸部４ａ及び４ｂを有する構成としている。この構成により、基板３及びベース２に対してリフレクタ５及びレンズ鏡筒４の位置を、それぞれ適切に調整することが可能な構成にすることができる。
【００６８】
上記実施形態２の撮像装置では、リフレクタ１０５が凸部５ａ及び５ｂを有し、レンズ鏡筒１０４がリフレクタ１０５に支持された構成としている。この構成により、基板３及びベース２に対してリフレクタ１０５の位置を適切に調整し、さらにリフレクタ１０５に支持されたレンズ鏡筒１０４の位置を適切に調整可能な構成にすることができる。
【００６９】
上記実施形態の撮像装置では、リフレクタ５（１０５）の凸部５ａ及び５ｂが、ベース２の孔部２１ａ及び２２ａに挿入された構成としている。この構成により、基板３、ベース２、リフレクタ５（１０５）、及びレンズ鏡筒４（１０４）の位置を適切に調整可能な構成とすることができる。
【００７０】
上記実施形態の撮像装置では、レンズ鏡筒４（１０４）とリフレクタ５（１０５）とがねじ嵌合した構成としている。この構成により、レンズ鏡筒４（１０４）とリフレクタ５（１０５）とを、ねじなどの他の部材を用いることなく連結させつつ、焦点の調整等を行うことが可能な構成にすることができる。
【００７１】
＜４．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００７２】
実施形態の撮像装置では、赤外線発光部材３２及び３３を用いた構成としたが、これらの発光部材は、赤外線を含む波長の光を照射可能な発光部材としてもよい。
【００７３】
また、実施形態の撮像装置では、ベース２が金属で形成された例を挙げて説明したが、ベース２を金属で形成する代わりに、樹脂と比較して高い熱伝導性を有する剛体で形成してもよい。
【００７４】
実施形態の撮像装置では、基板３の撮像素子３１の両側方に赤外線発光部材３２及び３３が配置される構成を例示して説明したが、赤外線発光部材は必ずしも２つである必要はなく、１つでもよいし、３つ以上であってもよい。
【００７５】
実施形態の撮像装置では、リフレクタ５が２つの凸部５ａ及び５ｂを有する構成を例示して説明したが、凸部の数は任意に変更可能である。ただし、位置決めを正確に行う観点から、２以上の凸部を設ける構成とすることが好ましい。
【産業上の利用可能性】
【００７６】
本発明は、車載用の撮像装置などとして好適に利用される。
【符号の説明】
【００７７】
１…ケース
１ａ、１ｂ、１ｃ、１ｄ…開口部
２…ベース
２ａ…フレキシブル基板貫通孔
２１、２２…基板当接面
２１ａ、２２ａ…孔部
２１ｂ、２２ｂ…ねじ孔
３…基板
３ａ、３ｂ…貫通孔
３ｃ、３ｄ…ねじ孔
３ｅ、３ｆ…孔部
３ｇ、３ｈ…ねじ孔
３１…撮像素子
３２、３３…赤外線発光部材
３４…フレキシブル基板
４、１０４…レンズ鏡筒
４ａ、４ｂ…凸部
４ｃ、４ｄ…ねじ孔
４１…レンズ群
５、１０５…リフレクタ
５ａ、５ｂ…凸部
５ｃ、５ｄ、５ｅ、１０５ｄ…開口部
１０８…フィルタ
【図１】
2020122920.tif 000003
【図２】
2020122920.tif 000004
【図３】
2020122920.tif 000005
【図４】
2020122920.tif 000006
【図５】
2020122920.tif 000007